(57)【要約】【課題】指示体（例えば、ペン型情報入力装置や指など）により画像表示画に手書き情報を描く位置を画像表示面において任意の位置とすることができ、かつ、任意の位置に描いた手書き情報を見易い位置に表示させることができるようにする。【解決手段】指示体によって画像表示面の任意の位置に描かれた複数の文字を含むひとまとまりの手書き情報をひとまとまりの軌跡情報として検出する軌跡情報検出部１４０と、軌跡情報検出部１４０により検出されたひとまとまりの軌跡情報に対応する軌跡画像をスクリーンＳＣＲに表示させる際の表示領域を設定するとともに、設定した表示領域に軌跡画像を表示させるための制御を行う軌跡画像表示制御部１６１を有する制御装置１６０とを備える。【選択図】図１
2014153447.tif 000002
【特許請求の範囲】
【請求項１】
指示体によって画像表示面の任意の位置に描かれた複数の文字を含むひとまとまりの手書き情報をひとまとまりの軌跡情報として検出する軌跡情報検出部と、
前記軌跡情報検出部が検出したひとまとまりの軌跡情報に対応する軌跡画像を前記画像表示面に表示させる際の表示領域を設定するとともに、前記設定した表示領域に前記軌跡画像を表示させるための制御を行う軌跡画像表示制御部を有する制御装置と、
を備えることを特徴とするプロジェクター。
【請求項２】
請求項１に記載のプロジェクターにおいて、
前記軌跡情報検出部は、前記画像表示面の任意の位置に描かれた複数の前記ひとまとまりの手書き情報から個々のひとまとまりの軌跡情報を順次検出し、
前記軌跡画像表示制御部は、前記軌跡情報検出部によって順次検出された個々のひとまとまりの軌跡情報ごとに前記表示領域を設定し、かつ、前記個々のひとまとまりの軌跡情報ごとの表示領域を並べて配置することを特徴とするプロジェクター。
【請求項３】
請求項１又は２に記載のプロジェクターにおいて、
前記制御装置は、前記ひとまとまりの軌跡情報に含まれる複数の文字によって形成される文字列の傾きを検出し、検出した結果に基づいて前記文字列の傾きを調整する傾き調整制御部をさらに有することを特徴とするプロジェクター。
【請求項４】
請求項１〜３のいずれかに記載のプロジェクターにおいて、
前記制御装置は、前記ひとまとまりの軌跡情報に含まれる複数の文字における各文字の文字間隔が所定間隔となるように文字の配置を調整する文字配置調整制御部をさらに有することを特徴とするプロジェクター。
【請求項５】
請求項４に記載のプロジェクターにおいて、
前記文字配置調整制御部は、前記各文字に対応する文字領域を抽出し、抽出した文字領域が、所定間隔に設定されている各文字枠に各文字が収まるように各文字を配置することを特徴とするプロジェクター。
【請求項６】
請求項１〜５のいずれかに記載のプロジェクターにおいて、
前記制御装置は、前記ひとまとまりの軌跡情報に含まれる複数の文字における各文字の文字サイズが所定の文字サイズとなるように文字サイズの調整を行う文字サイズ調整制御部をさらに有することを特徴とするプロジェクター。
【請求項７】
請求項６に記載のプロジェクターにおいて、
前記文字サイズ調整制御は、前記各文字に対応する文字領域を抽出し、抽出した文字領域が、前記各文字に対応して設定されている所定サイズの文字枠に適合するように前記各文字を拡大又は縮小することを特徴とするプロジェクター。
【請求項８】
指示体によって画像表示面の任意の位置に描かれた複数の文字を含むひとまとまりの手書き情報をひとまとまりの軌跡情報として検出する第１ステップと、
前記第１ステップにおいて検出したひとまとまりの軌跡情報に対応する軌跡画像を前記画像表示面に表示する際の表示領域を設定する第２ステップと、
前記第２ステップにより設定した表示領域に前記軌跡画像を表示させるための制御を行う第３ステップと、
を有することを特徴とするプロジェクターにおける軌跡画像表示方法。
【発明の詳細な説明】
【技術分野】
【０００１】
本発明は、プロジェクター及びプロジェクターにおける軌跡画像表示方法に関する。
【背景技術】
【０００２】
画像表示面でペン型情報入力装置などによって文字などの手書き情報を描くと、当該手書き情報に対応する軌跡画像をプロジェクターから画像表示面（スクリーンとする。）に投写して表示させる技術は従来から知られている（例えば、特許文献１及び特許文献２参照。）。
【０００３】
特許文献１に記載されている技術（第１従来技術という。）は、ペン型情報入力装置で手書き情報を描くための領域（手書き情報描画領域とする。）と、当該手書き情報に対応する軌跡画像をプロジェクターにより表示させるための領域（軌跡画像表示領域とする。）とが画像表示面に予め設定されている。なお、軌跡画像表示領域は、手書き情報描画領域より小さく設定されている。
【０００４】
第１従来技術は、このように手書き情報描画領域と軌跡文字画像表示領域とが予め設定されていて、手書き情報描画領域内にペン型情報入力装置で手書き情報を描くと、当該手書き情報に対応する軌跡画像を縮小して軌跡画像表示領域に表示させるようにしている。
【０００５】
特許文献２に記載されている技術（第２従来技術という。）も、第１従来技術と同様に、スクリーンにペン型情報入力装置を用いて手書き情報を描くと、当該手書き情報に対応する軌跡画像をプロジェクターからスクリーンに投写して表示させることができる。
【先行技術文献】
【特許文献】
【０００６】
【特許文献１】特開２００８−２２５５５５号公報
【特許文献２】特開２０１１−１４０１５４号公報
【発明の概要】
【発明が解決しようとする課題】
【０００７】
小学校の授業などにおいて、例えば、算数の問題に対する解答を複数の児童がペン型情報入力装置で描くと、個々の児童の個性の違いなどにより、個々の児童ごとに手書き情報としての解答を描く位置や、解答を構成する文字の大きさ、文字の間隔、文字列の傾きなどが様々となる。
【０００８】
このため、児童が描いたままの解答が画像表示面に表示されると、スクリーンにおいては、個々の児童の解答の表示位置、文字の大きさ、文字の傾きなどが様々であるため、スクリーンに表示されている軌跡画像（解答）は、他の児童や先生から見にくいものとなるといった課題がある。
【０００９】
第１の従来技術においては、手書き情報描画領域と軌跡画像表示領域とがスクリーン上において設定されているため、当該手書き情報描画領域に解答を描けば、当該解答を縮小して軌跡画像表示領域に表示させることができる。
【００１０】
しかしながら、第１従来技術においては、手書き情報描画領域が予め設定されているため、上記したように、例えば、複数の児童が画像表示面にそれぞれの解答を描くような場合、解答を描く場所が限定されてしまう。
【００１１】
このように、手書き情報描画領域が設定されていると、スクリーンのスペースを有効利用できないといった課題があり、また、個々の児童の個性が失われることにもなる。
【００１２】
一方、上記第２の従来技術においては、ペン型情報入力装置により描かれた手書き情報をどのような位置にどのような配列で表示させるかなどについての言及はなされていない。このため、上記したように、個々の児童ごとに、解答を描く位置や、文字の大きさ、文字列の傾きなどが異なる場合においては、スクリーンにおいて、個々の児童の解答が整理された状態で表示されず、先生や他の児童も見にくいものとなってしまうこととなる。
【００１３】
なお、このような課題は複数の児童が解答を描く場合に限られるものではなく、一般のユーザーが画像表示面でペン型情報入力装置により描く場合にも存在する。
【００１４】
本発明は上記事情に鑑みてなされたものであり、指示体（例えば、ペン型情報入力装置や指など）により画像表示面に手書き情報を描く場合に、当該手書き情報を描く位置を画像表示面の任意の位置とすることができ、かつ、任意の位置に描いた手書き情報を見易い位置に表示させることができるプロジェクター及びプロジェクターにおける軌跡画像表示方法を提供することを目的とする。
【課題を解決するための手段】
【００１５】
［１］本発明のプロジェクターは、指示体によって画像表示面の任意の位置に描かれた複数の文字を含むひとまとまりの手書き情報をひとまとまりの軌跡情報として検出する軌跡情報検出部と、前記軌跡情報検出部が検出したひとまとまりの軌跡情報に対応する軌跡画像を前記画像表示面に表示させる際の表示領域を設定するとともに、前記設定した表示領域に前記軌跡画像を表示させるための制御を行う軌跡画像表示制御部を有する制御装置と、を備えることを特徴とする。
【００１６】
本発明のプロジェクターによれば、指示体（例えば、ペン型情報入力装置や指など）により画像表示面に手書き情報を描く場合に、当該手書き情報を描く位置を画像表示面の任意の位置とすることができ、かつ、任意の位置に描いた手書き情報を見易い位置に表示させることができる。
【００１７】
［２］本発明のプロジェクターにおいては、前記軌跡情報検出部は、前記画像表示面の任意の位置に描かれた複数の前記ひとまとまりの手書き情報から個々のひとまとまりの軌跡情報を順次検出し、前記軌跡画像表示制御部は、前記軌跡情報検出部によって順次検出された個々のひとまとまりの軌跡情報ごとに前記表示領域を設定し、かつ、前記個々のひとまとまりの軌跡画像ごとの表示領域を並べて配置することが好ましい。
【００１８】
このように、ひとまとまりの軌跡情報ごとの表示領域を並べて配置することにより、手書き情報が画像表示面の任意の位置に順次描かれた場合、順次描かれた手書き情報に対応する軌跡画像を画像表示面上で並べて表示させることができる。これによって、順次描かれた手書き情報に対応する軌跡画像を画像表示面上で整理した状態で表示させることができる。
【００１９】
［３］本発明のプロジェクターにおいては、前記制御装置は、前記ひとまとまりの軌跡情報に含まれる複数の文字によって形成される文字列の傾きを検出し、検出した結果に基づいて前記文字列の傾きを調整する傾き調整制御部をさらに有することが好ましい。
【００２０】
このような傾き調整制御部を有することにより、文字列が画像表示面上で斜めに描かれた場合であっても、当該文字列の傾きを調整することができる。文字列の傾きを調整するというのは、文字列の傾きをなくすように調整するということである。
【００２１】
［４］本発明のプロジェクターにおいては、前記制御装置は、前記ひとまとまりの軌跡情報に含まれる複数の文字における各文字の文字間隔が所定間隔となるように文字の配置を調整する文字配置調整制御部をさらに有することが好ましい。
【００２２】
このような文字配置調整制御部を有することにより、文字間隔が広過ぎた場合又は狭すぎた場合に、文字間隔が適切な間隔となるように調整することができる。
【００２３】
［５］本発明のプロジェクターにおいては、前記文字配置調整制御部は、前記各文字に対応する文字領域を抽出し、抽出した文字領域が、所定間隔に設定されている各文字枠に各文字が収まるように各文字を配置することが好ましい。
【００２４】
このように、所定間隔に設定されている各文字枠に各文字が収まるように各文字を配置することによって、文字間隔を適切な文字間隔とすることができる。
【００２５】
［６］本発明のプロジェクターにおいては、前記制御装置は、前記ひとまとまりの軌跡情報に含まれる複数の文字における各文字の文字サイズが所定の文字サイズとなるように文字サイズの調整を行う文字サイズ調整制御部をさらに有することが好ましい。
【００２６】
このような文字サイズ調整制御部を有することにより、文字サイズが大き過ぎた場合又は小さ過ぎた場合に、文字サイズを適切なサイズとなるように調整することである。
【００２７】
［７］本発明のプロジェクターにおいては、前記文字サイズ調整制御は、前記各文字に対応する文字領域を抽出し、抽出した文字領域が、前記各文字に対応して設定されている所定サイズの文字枠に適合するように前記各文字を拡大又は縮小することが好ましい。
【００２８】
このように、所定サイズの文字枠に適合するように各文字を拡大又は縮小することによって、文字サイズを適切な文字サイズとすることができる。
【００２９】
［８］本発明のプロジェクターにおける軌跡画像表示方法は、指示体によって画像表示面の任意の位置に描かれた複数の文字を含むひとまとまりの手書き情報をひとまとまりの軌跡情報として検出する第１ステップと、前記第１ステップにより検出されたひとまとまりの軌跡情報に対応する軌跡画像を前記画像表示面に表示する際の表示領域を設定する第２ステップと、前記第２ステップにより設定した表示領域に前記軌跡画像を表示させるための制御を行う第３ステップと、を有することを特徴とする。
【００３０】
本発明のプロジェクターにおける手軌跡画像表示方法によれば、［１］に記載の本発明のプロジェクターと同様に、指示体(例えば、ペン型情報入力装置や指など)により画像表示面に手書き情報を描く場合に、当該手書き情報を描く位置を画像表示面の任意の位置とすることができ、かつ、任意の位置に描いた手書き情報を見易い位置に表示させることができる。
【００３１】
なお、本発明のプロジェクターにおける軌跡画像表示方法においても、［１］に記載の本発明のプロジェクターと同様に、［２］〜［７］に記載した特徴を有することが好ましい。
【図面の簡単な説明】
【００３２】
【図１】実施形態に係るプロジェクターＰＪの構成を示す図。
【図２】ペン型情報入力装置によってスクリーンＳＣＲに手書き情報を描く様子を示す図。
【図３】プロジェクターＰＪにおける軌跡画像表示処理を説明するフローチャート。
【図４】児童Ａ及び児童Ｂがペン型情報入力装置２０によってスクリーンＳＣＲに解答を順次描いた場合を説明する図。
【図５】児童Ａが図４に示すような解答Ａ１を描いた場合のプロジェクターＰＪの動作を説明する図。
【図６】児童Ｂが図４に示すような解答Ｂ１を描いた場合のプロジェクターＰＪの動作を説明する図。
【発明を実施するための形態】
【００３３】
以下、本発明の実施形態に係るプロジェクター及びプロジェクターにおける軌跡画像表示方法を説明する。
【００３４】
図１は、実施形態に係るプロジェクターＰＪを説明するために示す図である。実施形態に係るプロジェクターＰＪは、図１に示すように、画像情報が入力される画像情報入力部１１０と、画像情報入力部１１０に入力された画像情報を処理する画像情報処理部１２０と、ＯＳＤ（On Screen Display）処理部１３０と、指示体２０（ペン型情報入力装置２０とする。）によって画像表示面（スクリーンＳＣＲとする。）にひとまとまりの手書き情報が描かれると、当該ひとまとまりの手書き情報をひとまとまりの軌跡情報作として検出する軌跡情報検出部１４０と、リモートコントローラ（リモコンという。）や操作パネルなどによって操作された操作情報を入力する操作情報入力部１５０と、各部の制御を行う制御装置１６０と、制御装置１６０が各部を制御する際に必要な情報を記憶する記憶部１７０と、画像を投写する画像投写部１８０と、上記した部が動作を行う上で必要な電力を供給する電源部２００とを有している。
【００３５】
なお、画像投写部１８０は、一般的なプロジェクターが有する画像投写部と同様の構成のものを用いることができるため、ここでは、構成は簡略化し、かつ、模式化されて示されている。
【００３６】
画像投写部１８０は、図１に示すように、赤色光（Ｒ）、緑色光（Ｇ）及び青色光（Ｂ）を含む光を射出する光源部１８１、赤色光、緑色光及び青色光をそれぞれ画像情報に基づいて変調する赤色光用の光変調素子（液晶パネル）１８２Ｒ、緑色光用の光変調素子（液晶パネル）１８２Ｇ、青色光用の光変調素子（液晶パネル）１８２Ｂ、光源部１８１からの光を分離させるダイクロイックミラー１８３，１８４、反射ミラー１８５〜１８７、光変調素子１８２Ｒ，１８２Ｇ，１８２Ｂで変調された色光を合成するクロスダイクロイックプリズム１８８、クロスダイクロイックプリズム１８８で合成された画像光をスクリーンＳＣＲに投写する投写レンズ１８９、光源部１８１を駆動する光源駆動部１９０、光変調素子１８２Ｒ，１８２Ｇ，１８２Ｂを駆動する光変調素子駆動部１９１を有している。実際には、これらの他にも例えば、リレーレンズや各光変調素子に対応して設けられる偏光板などの種々の光学部品を有するが、これらの図示は省略している。
【００３７】
制御装置１６０は、画像情報入力部１１０から入力された画像情報に対応する画像をスクリーンＳＣＲに表示させるための画像表示制御機能と、軌跡情報検出部１４０が検出したひとまとまりの軌跡情報に対応する軌跡画像をスクリーンＳＣＲに表示させるための制御を行う画像表示制御機能とを有する。なお、軌跡画像をスクリーンＳＣＲに表示させるための制御を行う画像表示制御機能を「軌跡画像表示制御機能」という。
【００３８】
なお、画像情報入力部１１０から入力された画像情報に対応する画像をスクリーンＳＣＲに表示させるための画像表示制御機能については一般的なプロジェクターと同様であるため、ここでは、軌跡画像表示制御機能について説明する。
【００３９】
制御装置１６０は、軌跡画像表示制御機能を実現するための制御部として、軌跡画像表示制御部１６１と、傾き調整制御部１６２と、文字配置調整制御部１６３と、文字サイズ調整制御部１６４とを有している。
【００４０】
軌跡画像表示制御部１６１は、軌跡情報検出部１４０が検出したひとまとまりの軌跡情報に対応する軌跡画像を表示する際の表示領域（例えば図５（ａ）の表示領域３１１など）を設定するとともに、設定した表示領域に軌跡画像を表示させるための制御を行う。
【００４１】
ところで、ペン型情報入力装置２０によってスクリーンＳＣＲに描かれたひとまとまり手書き情報には、複数の文字が含まれているものとする。ここで、「ひとまとまりの手書き情報」というのは、具体例としては、例えば、ペン型情報入力装置２０によってスクリーンＳＣＲに「３×６＝１８」という手書き情報を描いた場合には、当該「３×６＝１８」を「ひとまとまりの手書き情報」としている。
【００４２】
また、軌跡情報検出部１４０は、ひとまとまりの手書き情報がスクリーンＳＣＲの任意の位置に順次、複数描かれると、複数描かれたひとまとまりの手書き情報から個々のひとまとまりの軌跡情報を順次検出する。このように、軌跡情報検出部１４０が個々のひとまとまりの軌跡情報を順次検出すると、軌跡画像表示制御部１６１は、軌跡情報検出部１４０によって順次検出された個々のひとまとまりの軌跡情報ごとに表示領域を設定し、かつ、個々のひとまとまりの軌跡画像ごとの表示領域を並べて配置する。
【００４３】
なお、軌跡画像表示制御部１６１は、取得したひとまとまりの軌跡情報と、設定した表示領域に関する情報（スクリーンＳＣＲにおける表示領域の位置を示す位置情報など）とを、それぞれ記憶部１７０に保存する。
【００４４】
傾き調整制御部１６２は、記憶部１７０に保存されているひとまとまりの軌跡情報を取得して、取得したひとまとまりの軌跡情報の傾きを調整する。具体的には、ひとまとまりの軌跡情報に含まれる複数の文字によって形成される文字列の傾きを検出し、検出した結果に基づいて、文字列の傾きを調整する。
【００４５】
なお、文字列の傾きの検出は、例えば、ひとまとまりの軌跡情報に含まれる文字列全体を囲む矩形枠を設定して、当該矩形枠内において、各文字がどのように分布しているかによって取得することができる。また、文字列の傾きを調整するというのは、文字列の傾きをなくすようにするすることであり、例えば、手書き情報が横書きの場合には水平ラインにほぼ沿うようにし、縦書きの場合には垂直ラインにほぼ沿うようにすることである。傾き調整制御部１６２は、傾きを調整したひとまとまりの軌跡情報（傾き調整済み軌跡情報という。）を記憶部１７０に保存する。
【００４６】
文字配置調整制御部１６３は、記憶部１７０に保存されているひとまとまりの軌跡情報を取得して、取得したひとまとまりの軌跡情報に含まれる各文字の文字間隔が所定間隔となるように文字の配置調整を行う。なお、傾き調整がなされている場合には、文字配置調整制御部１６３は、傾き調整済み軌跡情報に対して文字配置調整を行う。
【００４７】
文字の配置調整は、具体的には、各文字に対応する文字領域を抽出し、抽出した文字領域を、文字配置用として設定された各文字枠３２１（具体例は図５（ｂ）参照。）にほぼ均等に配置させることによって行う。文字配置調整制御部１６３は、文字の配置を調整したひとまとまりの軌跡情報（文字配置調整済み軌跡情報という。）を記憶部１７０に保存する。なお、文字配置用として設定された各文字枠３２１（以下では、文字配置用の各文字枠３２１ともいう。）は、所定間隔及び所定サイズに設定されているものとする。
【００４８】
文字サイズ調整制御部１６４は、記憶部１７０に保存されているひとまとまりの軌跡情報を取得して、取得したひとまとまりの軌跡情報に含まれる各文字の文字サイズが所定サイズとなるように文字サイズの調整を行う。なお、傾き調整及び文字配置調整の少なくとも一方がなされている場合には、文字サイズ調整制御部１６４は、それらの調整済み軌跡情報に対して文字サイズの調整を行う。
【００４９】
文字サイズの調整は、具体的には、各文字に対応する文字領域を抽出し、所定サイズに設定されている文字配置用の各文字枠３２１に各文字が適合するように、各文字を拡大又は縮小することによって行う。文字サイズ調整制御部１６４は、文字サイズ調整したひとまとまりの軌跡情報（文字サイズ調整済み軌跡情報という。）を記憶部１７０に保存する。
【００５０】
図２は、ペン型情報入力装置によってスクリーンＳＣＲに手書き情報を描く様子を示す図である。図２に示すように、ユーザー１０がペン型情報入力装置２０によってスクリーンＳＣＲにひとまとまりの手書き情報（図２においては図示せず。）を描くと、プロジェクターＰＪからは、当該ひとまとまりの手書き情報に対応する軌跡画像（図２においては図示せず。）が投写されてスクリーンＳＣＲの所定位置に表示される。
【００５１】
図３は、プロジェクターＰＪにおける軌跡画像表示処理を説明するフローチャートである。なお、図３に示すフローチャートは、制御装置１６０における軌跡画像表示制御部１６１、傾き調整制御部１６２、文字配置調整制御部１６３及び文字調整制御部が行う処理について説明するものである。また、図３に示すフローチャートにおいては、傾き調整、文字配置調整及び文字サイズ調整のすべての調整を行う場合について示されている。
【００５２】
まず、ユーザーがペン型情報入力装置２０によってスクリーンＳＣＲにひとまとまりの手書き情報を描いたとすると、軌跡画像表示制御部１６１は、軌跡情報検出部１４０が検出した軌跡情報を取得する（ステップＳ１）。なお、図３の各ステップにおいては、「ひとまとまりの軌跡情報」と表記すべきところを「ひとまとまり」を省略して単に「軌跡情報」として表記されている。
【００５３】
そして、軌跡画像表示制御部１６１は、取得したひとまとまりの軌跡情報を記憶部１７０に保存する（ステップＳ２）。また、軌跡画像表示制御部１６１は、スクリーンＳＣＲに表示する際の表示領域（例えば図５（ａ）に示す表示領域３１１など）を設定する（ステップＳ３）。そして、軌跡画像表示制御部１６１は、設定した表示領域に関する情報（表示領域のスクリーンＳＣＲ上の位置を示す位置情報など）を記憶部１７０に保存する（ステップＳ４）。
【００５４】
続いて、傾き調整制御部１６２が、記憶部１７０に保存されているひとまとまりの軌跡情報を取得して、取得したひとまとまりの軌跡情報から文字列の傾きを検出し、傾きを検出すると、検出した傾きに基づいて、傾きをなくすように傾き調整を行う（ステップＳ５）。そして、傾き調整制御部１６２は、傾き調整済み軌跡情報を記憶部１７０に保存する（ステップＳ６）。
【００５５】
続いて、文字配置調整制御部１６３が、記憶部１７０に保存されているひとまとまりの軌跡情報（傾き調整済み軌跡情報）を取得して、取得したひとまとまりの軌跡情報に基づいて、各文字の文字間隔が所定間隔となるように文字の配置を調整する（ステップＳ７）。文字配置調整制御部１６３は、文字配置調整済み軌跡情報を記憶部１７０に保存する（ステップＳ８）。
【００５６】
続いて、文字サイズ調整制御部１６４が、記憶部１７０に保存されているひとまとまりの軌跡情報（文字配置調整済み軌跡情報）を取得して、取得したひとまとまりの軌跡情報に基づいて、各文字の文字サイズが所定の文字サイズとなるように文字サイズの調整を行う（ステップＳ９）。文字サイズ調整制御部１６４は、文字サイズ調整済み軌跡情報を記憶部１７０に保存しておく（ステップＳ１０）。
【００５７】
上記のように、傾き調整制御部１６２、文字配置調整制御部１６３及び文字サイズ調整制御部１６４により、傾き調整、文字配置（文字間隔）調整及び文字サイズ調整を行うことができる。そして、軌跡画像表示制御部１６１は、それぞれの調整が行われたひとまとまりの軌跡情報（調整済み軌跡情報という。）に対応する軌跡画像を、ステップＳ３において設定した表示領域に表示する（ステップＳ１１）。
【００５８】
なお、調整済み軌跡情報は、ユーザーがペン型情報入力装置２０によって描いた筆跡が保存されているものとする。このため、スクリーンＳＣＲに表示される軌跡画像も、ユーザーがペン型情報入力装置２０によって描いた筆跡が保存されたものとなる。
【００５９】
また、図３においては図示されていないが、スクリーンＳＣＲに表示されている軌跡画像が適切か否かを判定して、適切でない場合には、適切な軌跡画像となるまで手動調整を行うことも可能である。
【００６０】
スクリーンＳＣＲの表示領域に表示されている軌跡画像が適切か否かは、例えば、表示されている軌跡画像の表示位置が適切であるか否か、当該軌跡画像に含まれている文字列の傾きが適切であるか否か、文字間隔が適切であるか否か、文字サイズが適切であるか否かなどを判定することによって行う。これらの判定は人間が目視によって行うことができる。また、手動調整を行う方法としては、例えば、ツールバーなどから調整用の機能を選択できるようにしておき、当該調整用の機能を選択して調整を行えるようにしておくことが一例として挙げられる。
【００６１】
また、図３に示すフローチャートにおいて、傾き調整制御部１６２による傾き調整、文字配置調整制御部１６３による文字配置調整、文字サイズ調整制御部１６４による文字サイズ調整は、これらすべてを実行するというものではなく、取得したひとまとまりの軌跡情報の内容によっては、これらの調整を行わなくてもよい場合もある。
【００６２】
例えば、取得したひとまとまりの軌跡情報の傾きが適切であれば、傾き調整制御部１６２は傾きが調整は行わず、また、文字間隔や文字サイズも適切であれば、文字配置調整制御部１６３及び文字サイズ調整制御部１６４もそれぞれの調整は行わなくてもよい。なお、傾き調整、文字配置調整、文字サイズ調整のいずれも行う必要がない場合には、軌跡画像表示制御部１６１が表示領域の設定を行って、設定した表示領域３１１に、軌跡画像を表示させるようにすればよい。
【００６３】
次に、実施形態に係るプロジェクターＰＪの具体的な表示動作例について図４〜図６を参照して説明する。なお、ここでは、小学校の教室において、算数の問題（問題の数は複数個とする。）に対して、児童（児童Ａ及び児童Ｂとする。）がスクリーンＳＣＲにおいてペン型情報入力装置２０により、それぞれの問題に対する解答を描く場合が例示されている。このため、これまでの説明で用いた「ひとまとまりの手書き情報」というのは、図４〜図６に示す例においては、個々の児童がペン型情報入力装置２０により描いた「解答」に相当する。
【００６４】
なお、この場合の「解答」としては、例えば、「３×６＝１８」というように、問題とその答えの両方であるとし、このような解答を「ひとまとまりの手書き情報」としている。そして、「ひとまとまりの手書き情報」に含まれる「複数の文字」としては、「３」、「６」、「１」、「８」といった数字と、「×」、「＝」といった記号である。なお、本明細書においては、ひらがな、カタカナ、漢字、アルファベッド、数字、各種記号などを含めたものを「文字」と称することとする。
【００６５】
このように、個々の児童がスクリーンＳＣＲにひとまとまり手書き情報としての「解答」を順次描くと、順次描かれた解答は、軌跡情報検出部１４０によって、個々のひとまとまりの軌跡情報として検出される。そして、軌跡画像表示制御部１６１は、軌跡情報検出部１４０が検出した軌跡情報（解答）を取得して、取得した軌跡情報を記憶部１７０にそれぞれ保存する。
【００６６】
なお、児童Ａ及び児童Ｂは、個々の児童の個性の違いなどから、スクリーンＳＣＲ上において解答を描く位置、解答に含まれる個々の文字の文字間隔、文字サイズ及び解答を構成する文字列の傾きが個々の児童ごとに異なっているものとする。
【００６７】
図４は、児童Ａ及び児童Ｂがペン型情報入力装置２０によってスクリーンＳＣＲに解答を順次描いた場合を説明する図である。この場合、まず、児童Ａが図４に示すように、当該児童Ａの解答Ａ１として、「３×６＝１８」をスクリーンＳＣＲに描いたとする。このとき、児童Ａは解答Ａ１をスクリーンＳＣＲの右端の高い位置（スクリーンＳＣＲの上端辺に近い位置）に描いたとする。また、児童Ａが描いた解答Ａ１は、解答を構成する各文字の間隔にばらつきが大きく、かつ、各文字のサイズが全体的に大き過ぎるものとする。
【００６８】
続いて、児童Ｂが図４に示すように、当該児童Ｂの解答Ｂ１として、「３×７＝２１」をスクリーンＳＣＲに描いたとする。このとき、児童Ｂは解答Ｂ１（３×７＝２１）をスクリーンＳＣＲの上下方向における中間位置に描いたとする。また、児童Ｂが描いた解答Ｂ１は、文字列が右上がりの傾きを有し、また、各文字同士が接近し過ぎており、さらに、文字サイズが全体的に小さ過ぎるものとする。
【００６９】
児童Ａ及び児童Ｂがペン型情報入力装置２０により、図４に示すような解答Ａ１及び解答Ｂ１を順次描くと、軌跡情報検出部１４０は、解答Ａ１に対応するひとまとまりの軌跡情報（解答Ａ１と同じ符号Ａ１を付す。）及び解答Ｂ１に対応するひとまとまりの軌跡情報（解答Ｂ１と同じ符号Ｂ１を付す。）を順次検出する。そして、軌跡画像表示制御部１６１は、軌跡情報検出部１４０が順次検出したひとまとまりの軌跡情報Ａ１及び軌跡情報Ｂ１を順次取得してする。
【００７０】
図５は、児童Ａが図４に示すような解答Ａ１を描いた場合のプロジェクターＰＪの動作を説明する図である。
児童Ａがペン型情報入力装置２０により、図４に示すような解答Ａ１を描くと、軌跡情報検出部１４０は、解答Ａ１に対応するひとまとまりの軌跡情報（解答Ａ１と同じ符号Ａ１を付す。）を検出する。そして、軌跡画像表示制御部１６１は、軌跡情報検出部１４０が検出したひとまとまりの軌跡情報Ａ１を取得して記憶部１７０に保存する。また、軌跡画像表示制御部１６１は、当該ひとまとまりの軌跡情報Ａ１を表示するための表示領域３１１を、図５（ａ）に示すように設定する。また、設定した表示領域３１１に関する情報（表示領域３１１に位置を示す位置情報など）を記憶部１７０に保存する。
【００７１】
なお、図５（ａ）においては、表示領域３１１が破線枠で示されているが、当該破線枠をスクリーンＳＣＲに表示する必要は特にない。ただし、何らかの枠が表示されるようにしてもよい。表示領域３１１を表示する位置は、例えば、スクリーンＳＣＲの空きスペースとし、かつ、他の児童や先生から見やすい位置とすることが好ましい。
【００７２】
続いて、傾き調整制御部１６２が、記憶部１７０からひとまとまりの軌跡情報Ａ１を取得して、取得したひとまとまりの軌跡情報Ａ１に含まれる文字列の傾きを検出し、検出した結果に基づいて、当該文字列の傾きを調整する。この場合、ひとまとまりの軌跡情報Ａ１おいては、調整するほどの傾きは検出されなかったものとする。
【００７３】
続いて、文字配置調整制御部１６３が、記憶部１７０からひとまとまりの軌跡情報Ａ１を取得して、取得したひとまとまりの軌跡情報Ａ１に含まれる各文字の文字間隔が所定間隔となるように文字の配置を調整する。この文字の配置の調整は、各文字に対応する文字領域を抽出し、抽出した文字領域が、図５（ｂ）に示すように、文字配置用の各文字枠３２１に各文字がほぼ均等に割り付けられるように各文字を配置することによって行う。なお、文字配置用の各文字枠３２１は、所定間隔でかつ所定のサイズに設定されているものとする。
【００７４】
このように、文字配置調整制御部１６３が文字調整を行うと、文字配置調整制御部１６３は文字配置調整済み軌跡情報Ａ１を記憶部１７０に保存する。
【００７５】
続いて、文字サイズ調整制御部１６４が、記憶部１７０からひとまとまりの軌跡情報Ａ１（この場合、文字配置調整済み軌跡情報Ａ１）を取得して、取得したひとまとまりの軌跡情報Ａ１に含まれる各文字の文字サイズが所定の文字サイズとなるように文字サイズの調整を行う。
【００７６】
文字サイズの設定は、図５（ｃ）に示すように、各文字に対応する文字領域を抽出し、抽出した文字領域が、文字配置用の各文字枠３２１に適合するように各文字を拡大又は縮小することによって行う。この場合、児童Ａが描いた解答Ａ１は文字が大きすぎるとしているため、児童Ａの描いた各文字が文字配置用の各文字枠３２１に適合するように（文字配置用の各文字枠３２１に丁度よく収まるように）、文字サイズを縮小する。
【００７７】
このように、文字サイズ調整制御部１６４が文字サイズ調整を行うと、文字サイズ調整制御部１６４は文字サイズ調整済み軌跡情報Ａ１を記憶部１７０に保存する。
【００７８】
以上のようにして、各種の調整が終了すると、軌跡画像表示制御部１６１は各種の調整が行われたひとまとまりの軌跡情報（調整済み軌跡情報）に対応する軌跡画像Ａ’（３×６＝１８）を、図５（ｄ）に示すように、表示領域３１１に表示させる。なお、表示領域３１１に表示された軌跡画像Ａ１’は児童Ａの筆跡がそのまま保存されたものとなっている。
【００７９】
以上は児童Ａがペン型情報入力装置２０によってスクリーンＳＣＲに解答Ａ１を描いた場合のプロジェクターの動作である。次に、児童Ｂがペン型情報入力装置２０によってスクリーンＳＣＲに解答Ｂ１を描いた場合のプロジェクターの動作について説明する。
【００８０】
図６は、児童Ｂが図４に示すような解答Ｂ１を描いた場合のプロジェクターＰＪの動作を説明する図である。児童Ｂがペン型情報入力装置２０により、図４に示すような解答Ｂ１を描くと、軌跡情報検出部１４０は、解答Ｂ１に対応するひとまとまりの軌跡情報（解答Ｂ１と同じ符号Ｂ１を付す。）を検出する。そして、軌跡画像表示制御部１６１は、軌跡情報検出部１４０が検出したひとまとまりの軌跡情報Ｂ１を取得して記憶部１７０に保存する。また、軌跡画像表示制御部１６１は、当該ひとまとまりの軌跡情報Ｂ１を表示するための表示領域３１２を、図６（ａ）に示すように設定する。また、設定した表示領域３１２に関する情報（表示領域３１１に位置を示す位置情報など）を記憶部１７０に保存する。
【００８１】
なお、図６（ａ）においても、表示領域３１２が破線枠で示されているが、当該破線枠をスクリーンＳＣＲに表示する必要は特にない。ただし、何らかの枠が表示されるようにしてもよい。
【００８２】
また、表示領域３１２の位置は、児童Ａの解答Ａ１（軌跡画像Ａ１’）を表示するための表示領域３１１に並ぶような位置とする。具体的には、例えば、図６（ａ）に示すように、スクリーンＳＣＲにおいて、児童Ａの解答Ａ１（軌跡画像Ａ１’）を表示する表示領域３１１の直下の位置に、当該表示領域３１１と並ぶような位置とする。
【００８３】
続いて、傾き調整制御部１６２が、記憶部１７０からひとまとまりの軌跡情報Ｂ１を取得して、取得したひとまとまりの軌跡情報Ｂ１に含まれる文字列の傾きを検出し、検出した結果に基づいて、当該文字列の傾きを調整する。この場合、図６（ｂ）に示すように、例えば、水平ラインＬに対して、所定の傾きθが検出されたとする。このように所定の傾きが検出されると、図６（ｃ）に示すように、傾きをなくすように（例えば、水平ラインＬにほぼ沿うように）傾き調整を行う。
【００８４】
このように、傾き調整制御部１６２が傾き調整を行うと、傾き調整制御部１６２は傾き調整済み軌跡情報Ｂ１を記憶部１７０に保存する。
【００８５】
続いて、文字配置調整制御部１６３が、記憶部１７０からひとまとまりの軌跡情報Ｂ１（この場合、傾き調整済み軌跡情報Ｂ１）を取得して、取得したひとまとまりの軌跡情報Ｂ１に含まれる各文字の文字間隔が所定間隔となるように文字の配置を調整する。
【００８６】
このように、文字配置調整制御部１６３が文字調整を行うと、文字配置調整制御部１６３は文字配置調整済み軌跡情報Ｂ１を記憶部１７０に保存する。なお、この場合、文字配置調整済み軌跡情報Ｂ１は傾き調整もなされたものとなっており、これを傾き及び文字配置調整済み軌跡情報Ｂ１とする。
【００８７】
続いて、文字サイズ調整制御部１６４が、記憶部１７０からひとまとまりの軌跡情報（この場合、傾き及び文字配置調整済みの軌跡情報Ｂ１）を取得して、取得したひとまとまりの軌跡情報Ｂ１に含まれる各文字の文字サイズが所定の文字サイズとなるように文字サイズの調整を行う。
【００８８】
このように、文字サイズ調整制御部１６４が文字サイズ調整を行うと、文字サイズ調整制御部１６４は文字サイズ調整済み軌跡情報Ｂ１を記憶部１７０に保存する。
【００８９】
文字配置調整制御部１６３が行う文字配置調整制御及び文字サイズ調整制御部１６４が行う文字サイズ調整制御は、児童Ａが描いた解答Ａ１の場合と同様に行うことができるため、簡略化して説明する。この場合、児童Ｂが描いた解答Ｂ１は、各文字同士が接近し過ぎており、さらに、文字サイズが小さ過ぎるとしているため、図６（ｄ）に示すように、文字配置用の各文字枠３２１に各文字がほぼ均等に割り付けられるように各文字を配置する。また、図６（ｅ）に示すように、各文字が文字配置用の各文字枠３２１に適合するように（文字配置用の各文字枠３２１に丁度よく収まるように）する。この場合、各文字の文字サイズを拡大するように文字サイズを調整する。
【００９０】
以上のようにして、各種の調整（傾き調整、文字配置調整及び文字サイズ調整）が終了すると、軌跡画像表示制御部１６１は、これらの調整が行われた軌跡画像Ｂ１（調整済みの軌跡情報Ｂ１という。）に対応する軌跡画像Ｂ１’（３×７＝２１）を、図６（ｆ）に示すように、表示領域３１２に表示させる。なお、軌跡画像Ｂ’は児童Ｂの筆跡がそのまま保存されたものとなっている。
【００９１】
図４〜図６において説明したように、個々の児童の個性が表れた状態で、児童Ａが解答Ａ１（３×６＝１８）を描き、続いて児童Ｂが解答Ｂ１（３×７＝２１）を描いたとしても、プロジェクターＰＪから投写される各児童の解答Ａ及び解答Ｂに対応する軌跡画像Ａ１’及び軌跡画像Ｂ１’は、スクリーンＳＣＲにおける所定位置に整理された状態で並べられて表示される。また、文字列の傾き、文字間隔、文字サイズなどがほぼ統一されたものとなる。
【００９２】
このため、他の児童や先生からは児童Ａ及び児童Ｂが描いた解答を見易くなる。なお、児童Ａ及び児童Ｂが描いた解答は、当該解答を構成する個々の文字の筆跡などは個々の児童の筆跡が保存されたままであるため、解答そのものは、個々の児童の個性が生かされたものとなる。また、スクリーンＳＣＲにおけるペン型情報入力装置２０の描画位置は任意であるため、スクリーンＳＣＲのスペースを有効利用でき、かつ、解答を描く位置においても個々の児童の個性を生かすことができる。
【００９３】
上記の例では、児童Ａ及び児童Ｂ二人の児童がそれぞれの解答を順次描いた場合について説明したが、３人以上の児童が順次解答を描いた場合であっても、当該３人以上の各児童が描いた解答に対応する軌跡画像は、スクリーンＳＣＲにおいて整理された状態で並べて表示さる。また、個々の児童の筆跡は保存されて状態で、文字列の傾き、文字間隔、文字サイズなどがほぼ統一されたものとなる。
【００９４】
なお、本発明は上述の実施形態に限られるものではなく、本発明の要旨を逸脱しない範囲で種々変形実施可能となるものである。たとえば、下記に示すような変形実施も可能である。
【００９５】
（１）上記実施形態においては、図４に示すように、児童Ａ及び児童Ｂが解答Ａ１及び解答Ｂ１をスクリーンＳＣＲに順次描いた状態で、各児童の描いた解答Ａ１及び解答Ｂ１に対して、それぞれ図５及び図６に示すような処理を行う場合を例示したが、これに限られるものではない。例えば、まず、児童ＡがスクリーンＳＣＲに解答Ａ１を描くと、その時点で、図５（ａ）に示すように表示領域３１１が設定され、その後、図５（ｂ）〜（ｄ）のような処理が実行されて、児童Ａが描いた解答Ａ１に対応する軌跡画像Ａ１’が表示領域３１１に表示されるようにし、続いて、児童ＢがスクリーンＳＣＲに解答Ｂ１を描くと、その時点で、図６（ａ）に示すように表示領域３１２が設定され、その後、図６（ｂ）〜（ｆ）のような処理が実行されて、児童Ｂにより描かれた解答Ｂ１に対応する軌跡画像Ｂ１’が表示領域３１２に表示されるようにしてもよい。
【００９６】
（２）上記実施形態においては、制御装置１６０における各制御部として、表示領域の設定及び軌跡画像の表示を行う軌跡画像表示制御部１６１と、傾き調整を行う傾き調整制御部１６２と、文字配置（文字間隔）の調整を行う文字配置調整制御部１６３と、文字サイズ調整を行う文字サイズ調整制御部１６４とを設けた場合を例示したが、必ずしもこれらすべて制御部を設ける必要はない。例えば、表示領域の設定及び軌跡画像の表示を行う軌跡画像表示制御部１６１にみを設けるようにしてもよい。このように、軌跡画像表示制御部１６１のみを設けることによっても、複数の児童がスクリーンＳＣＲの任意の位置に個々の児童の個性が表れた状態で解答を描いた場合、文字列の傾き、文字間隔及び文字サイズは調整されないが、各児童の描いた各解答を所定の表示領域に整理して並べて表示することができるという効果が得られる。
【００９７】
（３）上記実施形態において説明したフローチャートにおける処理の順番は、必ずしも図３に示した順番である必要はなく、例えば、文字配置調整（ステップＳ７及びステップＳ８）と文字サイズ調整（ステップＳ９及びステップＳ１０）の順番を入れ替えて、文字サイズ調整を行った後に、文字配置調整を行うようにすることも可能である。
【００９８】
（４）上記実施形態では、手書き情報が横書きの場合について説明したが例えば、国語の授業などのように、手書き情報が主に縦書きとなる場合にも適用可能である。
【００９９】
（５）上記実施形態では、複数の児童が出題された問題に対する解答を描く場合について説明したが、これに限られるものではなく、プロジェクターを用いたプレゼンテーションなどにおいても使用可能である。
【０１００】
（６）上記各実施形態においては、プロジェクターＰＪの光変調素子として液晶型の光変調装置（液晶パネル）を用いた場合を例示したが、本発明はこれに限定されるものではない。光変調素子としては、例えば、マイクロミラー型光変調装置等を用いてもよい。また、光変調素子として液晶型の光変調素子を用いる場合、ＲＧＢに対応した３つの液晶パネルを用いた、いわゆる３板式のプロジェクターの場合を例示したが、単板式のプロジェクターであってもよい。また、光源部１８１としては、赤色、緑色及び青色をそれぞれ発光するＬＥＤなどの固体光源を用いることもできる。
（７）上記実施形態においては、指示体としては、ペン型情報入力装置を用いた場合を例示したが、必ずしも、ペン型情報入力装置でなくてもよい。例えば、指などでも代用することができる。すなわち、本発明は、指によって手書き情報を描く場合にも適用できる。
【符号の説明】
【０１０１】
２０・・・ペン型情報入力装置、１１０・・・画像情報入力部、１２０・・・画像情報処理部、１３０・・・ＯＳＤ処理部、１４０・・・軌跡情報検出部、１５０・・・操作情報入力部、１６０・・・制御装置、１６１・・・軌跡画像表示制御部、１６２・・・傾き調整制御部、１６３・・・文字配置調整制御部、１６４・・・文字サイズ調整制御部、１７０・・・記憶部、１８０・・・画像投写部、１８１・・・光源部、１８２Ｒ，１８２Ｇ，１８２Ｂ・・・光変調素子（液晶パネル）、１９０・・・光源駆動部、１９１・・・光変調素子駆動部、２００・・・電源部、３１１，３１２・・・表示領域、３２１・・・文字配置用の各文字枠、Ａ１・・・児童Ａが描いた解答（ひとまとまりの手書き情報）、Ａ１’・・・児童Ａが描いた解答に対応する軌跡画像、Ｂ１・・・児童Ｂが描いた解答（ひとまとまりの手書き情報）、Ｂ１’・・・児童Ｂが描いた解答に対応する軌跡画像、Ｌ・・・水平ライン、ＰＪ・・・プロジェクター、ＳＣＲ・・・スクリーン（画像表示面）
【図１】
2014153447.tif 000003
【図２】
2014153447.tif 000004
【図３】
2014153447.tif 000005
【図４】
2014153447.tif 000006
【図５】
2014153447.tif 000007
【図６】
2014153447.tif 000008